(57)【要約】【課題】外部からの球を下部タンクに誘導し、下部タンクの底部を球揚送装置側に下り傾斜させ、下部タンク内の球を揚送して遊技機に供給する両島と片島を有する設備において、球が遊技機のアウト球回収箱の球出口を塞ぐことを防止し、両島と片島とでアウト球回収箱の種類を変えるなどの必要性を無くす。【解決手段】下部タンク３１には、底部３４の上方に球貯留空間を空けた状態で両側壁から突出して底部３４と傾斜方向が反対の傾斜突条６５，６６と、各傾斜突条６５，６６から離隔させた位置に形成されて底部３４と傾斜方向が同じ傾斜樋８１とを設け、外部からの球を傾斜突条６５，６６を介して下部タンクに誘導し、多量球貯留状態では下部タンク３１内に流下する球を傾斜樋８１により短絡的に球揚送装置３３に送る構成とし、片島の下部タンクでは、遊技機設置側の分割貯留空間８２の幅を両島と同じとし、他方の分割貯留空間８３よりも広くする。【選択図】図９
2008237797.tif 000002
【特許請求の範囲】
【請求項１】
箱形形状に形成されて長手方向の両側に遊技機を設置してなる両島と、箱形形状に形成されて長手方向の片側に遊技機を設置してなる片島と、からなる島設備において、
前記両島及び片島の各々は、
外部から受け入れた球を下部タンクに誘導し、該下部タンクの底部を球揚送装置側に前記長手方向に沿って下り傾斜させ、該球揚送装置により下部タンク内の球を揚送して前記遊技機に供給する球循環機構と、前記遊技機から排出される球を回収して前記下部タンクに排出するアウト球回収箱と、を有し、
前記下部タンクは、
底部の上方に球貯留空間を空けた状態で底部と傾斜方向が反対の傾斜突条を両側壁から夫々突出させ、該傾斜突条に前記外部から受け入れた球を誘導するように構成し、
前記夫々の傾斜突条の間に夫々の突端から離隔させた状態で形成され前記球揚送装置側に下り傾斜した傾斜樋を有して、該傾斜樋により前記球貯留空間を分割した分割貯留空間を形成し、
前記アウト球回収箱は、排出口を前記傾斜突条と傾斜樋との間に臨ませ、
前記片島の下部タンクは、前記遊技機が設置されている側の分割貯留空間を、遊技機が設置されていない側の分割貯留空間よりも幅を広く構成するとともに、前記両島の下部タンクの分割貯留空間と略同一の幅に形成したことを特徴とする島設備。
【請求項２】
前記片島の下部タンクは、前記遊技機が設置されていない側の分割貯留空間を構成する傾斜突条及び傾斜樋における壁部の頂部を、前記遊技機が設置されている側の分割貯留空間を構成する傾斜突条及び傾斜樋における壁部の頂部よりも、高い位置に形成したことを特徴とする請求項１に記載の島設備。
【発明の詳細な説明】
【技術分野】
【０００１】
本発明は、複数の遊技機（例えば、パチンコ機など）が設置された遊技場の遊技機設置島（場合により、設置島、遊技島又は島という。）に関する。
【背景技術】
【０００２】
従来の遊技機設置島、例えばパチンコ遊技機を設置した設置島においては、内部下方に下部タンクを設置島の長手方向に沿って配設し、この下部タンクの底部にパチンコ遊技機から排出された球を回収する回収樋が形成され、回収樋の下り傾斜の下流側に球揚送装置を設置し、設置島の上部には、球揚送装置により研磨しながら揚送した球を貯留する上部タンクを設けるとともに、この上部タンクから各パチンコ遊技機に球を補給する球補給樋を設置島の長手方向に沿って設けてある。
【０００３】
このような設置島の中には、特許文献１に開示されている設置島がある。即ち、外部から受け入れた球が流れ込む搬送樋（本願の傾斜突条に相当）が、下部タンクの長手方向の両側に設けられ、搬送樋によって下部タンクに均等に球が貯留されるようになっている。また、両側の搬送樋の間には夫々と間隔を空けて球揚送装置に向けて下り傾斜の上部優先樋（本願の傾斜樋に相当）が設けられている。そして、パチンコ遊技機からの排出球を受け入れて下部タンクに排出するアウト球回収箱の排出口を搬送樋と上部優先樋との間の間隔に臨ませることにより、下部タンクに球が山積み状態に堆積すると後続のパチンコ遊技機からの排出球が山積み状態の球により上部優先樋に誘導されるので、アウト球回収箱での球詰まりを防止している。
【０００４】
【特許文献１】特開平１０−３３８１８号公報
【発明の開示】
【発明が解決しようとする課題】
【０００５】
ところで、遊技店には、設置島の長手方向に沿って両側にパチンコ遊技機が設置された所謂両島と、片側だけにパチンコ遊技機が設置された所謂片島と、が有り、一般的に片島の島幅を両島の島幅よりも狭くすることにより、遊技店のスペースの有効活用が行われている。しかし、上記従来の設置島では、上部優先樋が設置島の中央に設けることの開示に止まるため、片島の中央に優先樋を配設すると、搬送樋と上部優先樋との間隔が両島と片島とで異なり、両島と片島とでアウト球回収箱の種類を変えたり、アウト球回収箱の排出口の位置を変えたりする必要があり、設置作業が容易でない、といった問題がある。
そこで本発明は、上記遊技島において、下部タンクに球が山積み状態に堆積しても、遊技機のアウト球回収箱の球出口を遊技球が塞ぐことがないようにするとともに、両島と片島との各々でアウト球回収箱の種類を変えたり、アウト球回収箱の排出口の位置を変えたりする必要のない設置島を提供することを目的とする。
【課題を解決するための手段】
【０００６】
本願請求項１に記載の島設備は、箱形形状に形成されて長手方向の両側に遊技機を設置してなる両島と、箱形形状に形成されて長手方向の片側に遊技機を設置してなる片島と、からなる島設備において、
前記両島及び片島の各々は、
外部から受け入れた球を下部タンクに誘導し、該下部タンクの底部を球揚送装置側に前記長手方向に沿って下り傾斜させ、該球揚送装置により下部タンク内の球を揚送して前記遊技機に供給する球循環機構と、前記遊技機から排出される球を回収して前記下部タンクに排出するアウト球回収箱と、を有し、
前記下部タンクは、
底部の上方に球貯留空間を空けた状態で底部と傾斜方向が反対の傾斜突条を両側壁から夫々突出させ、該傾斜突条に前記外部から受け入れた球を誘導するように構成し、
前記夫々の傾斜突条の間に夫々の突端から離隔させた状態で形成され前記球揚送装置側に下り傾斜した傾斜樋を有して、該傾斜樋により前記球貯留空間を分割した分割貯留空間を形成し、
前記アウト球回収箱は、排出口を前記傾斜突条と傾斜樋との間に臨ませ、
前記片島の下部タンクは、前記遊技機が設置されている側の分割貯留空間を、遊技機が設置されていない側の分割貯留空間よりも幅を広く構成するとともに、前記両島の下部タンクの分割貯留空間と略同一の幅に形成したことを特徴とする。
【０００７】
本願請求項２に記載の島設備は、前記片島の下部タンクにおいて、前記遊技機が設置されていない側の分割貯留空間を構成する傾斜突条及び傾斜樋における壁部の頂部を、前記遊技機が設置されている側の分割貯留空間を構成する傾斜突条及び傾斜樋における壁部の頂部よりも、高い位置に形成したことを特徴とする。
【発明の効果】
【０００８】
本願請求項１に記載の島設備によれば、外部から受け入れた遊技球が下部タンクの両側壁から突出する傾斜突条に誘導され、この傾斜突条を介して下部タンク内に導入されるため、下部タンク内に偏りが少ない状態で前記遊技球を導入できる。また、下部タンクの球貯留空間に球が山積み状態に堆積しても、アウト球回収箱からの排出球が山積み状態の球に誘導されて傾斜樋内に流入し、この傾斜樋を経由して球揚送装置の入口に短絡的に流れる。このため、下部タンクに球が山積み状態に堆積しても、アウト球回収箱の球出口が山積みの遊技球で塞がれて球詰まりを起こしてしまう不具合を回避できる。
しかも本島設備では、片島の下部タンクにおける遊技機が設置されている側の分割貯留空間を、遊技機が設置されていない側の分割貯留空間よりも幅を広く構成するとともに、両島の下部タンクの分割貯留空間と略同一の幅に形成した。このため、両島と片島との各々でアウト球回収箱の種類を変えたり、アウト球回収箱の排出口の位置を変えたりする必要がない。
【０００９】
また、請求項２に記載の島設備によれば、片島の下部タンクは、遊技機が設置されていない側の分割貯留空間を遊技機が設置されている側の分割貯留空間よりも幅を狭くされているが、傾斜突条及び傾斜樋における壁部の頂部が高い位置に形成されているので、遊技機が設置されていない側の分割貯留空間の貯留容量を充分に確保できる。
【発明を実施するための最良の形態】
【００１０】
以下、本発明の実施の形態を図面に基づいて説明する。
（第１形態例）
最初に第１形態例を説明する。
Ａ．遊技場の設備全体の概略構成
まず、遊技場の設備全体の概略構成について説明する。図１は、後述する遊技島１０ｃの内部構造（正面を覆う板や遊技機を取り外した状態）を示す正面図である。
本例の設備は、複数の島よりなるグループが複数設置されて構成される。各島には、その筐体内に、遊技球を使用して遊技が行われるパチンコ機等の遊技機（図示省略）が長手方向に並べて設置してある。島としては、箱形形状に形成されて長手方向の両側に遊技機を設置してなる両島と、箱形形状に形成されて長手方向の片側に遊技機を設置してなる片島と、を有する。例えば、三つの島１０ａ，１０ｂ，１０ｃ（島１０ｃの正面図のみを図１に示す、他の島の正面図は図示省略）が並列状態に設置されてグループ１が形成されている。このグループ１の隣りには、同一島配列又は異なる島配列の他のグループ（図示省略）が配置されていて、グループ間の遊技球の移動（交流）が行われる。例えば、グループ１と全く同一構成のグループが隣接して配置され、端に位置する島同士（グループ１では例えば島１０ｃ）を介して交流が行われる。そして、島１０ａ，１０ｂ，１０ｃのうち、例えば島１０ａが片島であり、残りの島１０ｂ，１０ｃが両島となっている。なお片島は、遊技場の壁際などのスペース（両島を設置するには幅の狭いスペース）を有効利用するために、壁際などに設置されることが多い。ここで、各遊技島全体を構成する設備が、本発明の島設備に相当する。
【００１１】
そして、特定の遊技島（例えば、島１０ｃ）の一端又は両端には、カウンタ１２が設置されている。カウンタ１２は、払い出された遊技球（即ち、景品球）を受入れてその数量を計数し、その数量の情報等を所定の媒体（レシート、カードなど）に記録して出力する周知の機械であり、各カウンタ１２から受入れた遊技球は各カウンタ１２が設置された遊技島内に直接回収される構成となっている。
なお、遊技島の配列や配列数、或いはカウンタの配置等は、上述の態様に限られないことはいうまでもない。
【００１２】
各遊技島の中央上面側には、揚送された内部の遊技球が島内循環或いは島間循環のために一時的に貯留される上部タンク１３が設けられており、この上部タンク１３は、上部主タンク１３ａと、上部補助タンク１３ｂとよりなる。このうち、上部補助タンク１３ｂには、隣接する遊技島間を連絡する島間樋（図示省略）が接続されている。
ここで、島間樋は、遊技球を流下させる方向において斜め下に傾斜した状態に設けられており、遊技球を自重により流下させることによって、或る遊技島から隣接する遊技島（同グループ内又は他グループ内の他の島）に移動させる樋である。
なお、図１における符号１４や１５は、上部補助タンク１３ｂにおける島間樋の接続口を示し、このうち符号１４は他島から自島へ向かう島間樋の接続口、符号１５は自島から他島へ向かう島間樋の接続口を示す。
【００１３】
そして、上部タンク１３における島間樋の傾斜下端側の遊技球入口（図１では接続口１４）には、この入口を開閉する上部シャッター（図示省略する）が設けられている。
また各島には、島制御装置（図示省略）が設けられ、上記上部シャッターを含む各島内の機器の制御は、それぞれこれらの島制御装置により行われる。各島の島制御装置は、相互に接続されている。
【００１４】
Ｂ．遊技島の概略構成
次に、各遊技島の概略構成及び遊技球の流れの概要について説明する。
なお以下では、片島の構成であっても、両島と同様の構成要素又は対応する構成要素については、両島の場合と同符号を付して、重複する説明を省略する。例えば、下部タンク３１については、片島と両島で後述するように球貯留空間の寸法が一部異なるが、同符号３１を用いる。
各遊技島は、図１に示す如く、前述の上部タンク１３に加えて、島内の比較的下側に配置されて遊技球を貯留する下部タンク３１と、島の長手方向（遊技機が並ぶ左右方向）の略中央に配置される球揚送装置３３と、この球揚送装置３３を中心として両側に伸びるように各遊技機の下方に配設された遊技球回収樋３４と、上部タンク１３の下部両側に接続されて上部タンク１３の遊技球を各遊技機に補給する遊技球補給樋３５と、上部タンク１３内の遊技球を自島内の下部タンク３１に向けて流下させる降下流路（図１に示す移送球流路３６や図示省略したオーバーフロー流路）と、下部タンク３１の底部であって球揚送装置３３の近傍（遊技球回収樋３４の下流側）に設けられた下部シャッター３７とを備える。なお、球揚送装置３３による揚送経路以外の遊技球の移動経路（各樋及び流路）は、全て遊技球がその自重により移動するものである。また、上述した上部タンク１３、下部タンク３１、球揚送装置３３、及び降下流路等は、本発明の球循環機構を構成する。また、遊技球回収樋３４は、下部タンク３１の底部を構成する。
【００１５】
ここで、下部タンク３１は、遊技球回収樋３４の上方の空きスペースを、球貯留空間とするタンクである。この下部タンク３１（以下、場合により単にタンク３１という）や遊技球回収樋３４や下部シャッター３７は、球揚送装置３３の左右両側に１個ずつ設けられている。
また移送球流路３６は、上部補助タンク１３ｂに上端が接続されて下方に伸びる管状の流路であり、島間樋から流入した遊技球を左右の下部タンク３１に向けて流下させるものである。この移送球流路３６の下端は、後述する図３の均し樋６１の始端部（後述する球落下部３６ａ）に向けて配置され、この均し樋６１の始端部に上部タンク１３からの球を落下させる。
【００１６】
またオーバーフロー流路は、上部タンク１３に接続されて、左右何れかの下部タンク３１内に遊技球を流下させるものである。
また下部シャッター３７は、前記島制御装置によって制御され、例えば自島の球貯留量（下部タンク３１内の球貯留量）が少ないときに、下部タンク３１内から球揚送装置３３の入口に向かう遊技球の流路を遮断して、他島への遊技球の供給を停止するためのものである。このように球揚送装置３３の入口への遊技球の流入を適宜停止することによって、球揚送装置３３の負荷が減る利点がある。
なお、下部タンク３１やその周辺構成の詳細については、後述する。
【００１７】
そして遊技球は、概略次のように島内を循環する構成となっている。
即ち、各遊技機から排出される遊技球（アウト球等）は、後述するアウト球回収箱５１，５２を経由して、まず島の下部（各遊技機の下側）の左右方向に傾斜した状態に設けられた遊技球回収樋３４（或いは、後述する均し樋６１やバイパス用の傾斜樋８１）により回収されて、下部シャッター３７によって開閉される流路を経由して島の略中央底部の位置に集められる。この位置には、球揚送装置３３の下端側の入口が配置されており、この位置に集められた遊技球は図示省略した整列装置により、整然と球揚送装置３３に入り、この球揚送装置３３で研磨されつつ揚送され、球揚送装置３３の上端側の出口から前述の上部タンク１３における上部主タンク１３ａ内の上部に排出される。
【００１８】
なお、カウンタ１２が受入れた遊技球も、カウンタ１２の裏面側（島の側壁の内側）に突出する排出口１２ａ（後述する図２に示す）より、遊技球回収樋３４の始端部（或いは、後述する傾斜樋８１）に流れ落ちるようになっており、遊技機から排出された遊技球と同様に回収され、球揚送装置３３に送られる。
次に、球揚送装置３３から上部主タンク１３ａ内の上部に排出された遊技球は、例えば、島間樋、遊技球補給樋３５、オーバーフロー流路の順に優先して供給される。即ち、まず他島へ球を送る島間樋に供給され、この島間樋の入口が遊技球により満杯となっていると遊技球補給樋３５に供給され、遊技球補給樋３５の入口が遊技球により満杯となっているとオーバーフロー流路に供給される。
【００１９】
なお、遊技球補給樋３５に流入した遊技球は、島の上部（各遊技機の上側）の左右方向に傾斜した状態に設けられたこの遊技球補給樋３５により各遊技機に供給される。遊技球補給樋３５には、各遊技機に対応する複数箇所にシュートと呼ばれる遊技球の分配器（図示省略）が設けられており、この分配器の動作により適宜補給が必要な遊技機や遊技機に付設された球貸機に上記遊技球補給樋３５から遊技球が補給される。
【００２０】
また、島間樋から流入した遊技球（他島から供給された遊技球）は、移送球流路３６に供給される。なお、前述した上部シャッターが閉じると、この島間樋からの遊技球の流入が止まる。前述した島制御装置は、例えば自島の遊技球貯留量が他島に比較して多いときに、上部シャッターを閉じる。
【００２１】
なお、符号を付しての詳細説明を省略するが、球揚送装置３３は、例えば、上下方向に配されて周回する搬送ベルトと、この搬送ベルトの片面側に対向配置される研磨布と、遊技球の外径に対応した断面半円状の溝が上下方向に形成され、前記研磨布の裏面側を保持した状態に配置される案内部材と、前記搬送ベルトを駆動するモータ等の駆動機構とを備えるもので、前記搬送ベルトと研磨布の間に遊技球を挟み込んだ状態で、遊技球を整列させたまま上向きに転動させることにより、遊技球を研磨しつつ整然と揚送する装置である。この球揚送装置３３は、基本的に常時駆動される。
【００２２】
Ｃ．両島の下部タンク等の構成
次に、カウンタ１２が設置された両島１０ｃにおける下部タンク３１とその周辺構成について、図２〜図７により説明する。
ここで図２〜図４は、両島１０ｃにおける右側の下部タンク３１等を示す図である。このうち図２は、アウト球回収箱５１，５２等がある状態を球揚送装置３３の側から斜めに見た斜視図である。また図３は、アウト球回収箱５１，５２等を取り除いた状態をカウンタ１２の側から見た斜視図である。また図４は、アウト球回収箱５１，５２等を取り除いた状態を球揚送装置３３の側から斜めに見た斜視図である。
また図５は、右側の下部タンク３１等（アウト球回収箱５１，５２等を含む）を示す縦断面図である。また図６及び図７は、右側の下部タンク３１等（アウト球回収箱５１，５２等を除く）を示す断面図である。なお、図６は図５におけるＸ１断面図であり、図７は図５におけるＸ２断面図である。
【００２３】
図２等において符号４１で示すのは、島の筐体の側壁である。遊技球回収樋３４の島端側の端壁３４ａ（図４に示す）は、この側壁４１の内面に接合した状態に配置されている。この側壁４１には、後述する排出口１２ａを挿入するための開口部４１ａが形成されている。
また図４に示すように、上記側壁４１の外面側には、カウンタ設置台４２が配置され、このカウンタ設置台４２の上にカウンタ１２が載置される。
そして、カウンタ１２の背面に設けられた球の排出口１２ａは、上記開口部４１ａに挿入されて、側壁４１より内面側（遊技球回収樋３４の始端部上方）に突出し、カウンタ１２で投入された遊技球は、その排出口１２ａから島の遊技球回収樋３４の始端部（詳しくは、後述する誘導部材４９の上面）に落下する構成となっている。
【００２４】
また、図２等において符号４３で示すのは、島の筐体の底部を構成する底部構成部材である。この底部構成部材４３は、図４や図５に示すように、遊技球回収樋３４の正面と後面と下面を覆うように床面上に設置される概略断面Ｕ字状の部材である。この底部構成部材４３の正面側と後面側の上端部は、それぞれ前方又は後方にＬ字状に曲がって伸びていて、この前方又は後方に伸びる平板状部分がいわゆる膳板４３ａ，４３ｂ（遊技機の下方に位置し、遊技者が出球を入れた箱を載せておく棚板）を構成し、この平板状部分の回収樋側に遊技機設置部が構成されている。なお、遊技球回収樋３４の前面壁３４ｂと後面壁３４ｃ（図４等に示す）は、この底部構成部材４３の内面に接合している（図５参照）。
なお本例では便宜上、図５における右側を島の正面側、図５における左側を島の裏面側としている。
【００２５】
そして、図４や図５に示すように、遊技球回収樋３４の始端部上方（排出口１２ａの下方）には、誘導部材４９が設けられている。誘導部材４９は、遊技球回収樋３４の始端部上方を覆うように配置される板状部材である。この誘導部材４９は、前述の端壁３４ａの内側に形成された載置部４８上に載置されることによって設けられ、図６に示すように遊技球回収樋３４と同方向に傾斜した状態に設けられている。
そして誘導部材４９は、上面側と下面側に衝撃吸収性材を備え、上面にカウンタ１２からの計数球が衝接する衝接部を形成し、カウンタ１２からの遊技球を後述する傾斜樋８１や遊技球回収樋３４へ静かに落下させる構成となっている。
【００２６】
次に、図２や図５において符号５１，５２で示すのは、各遊技機の下部にそれぞれ設けられて、各遊技機から排出された遊技球を検出するセンサ（例えば図５に符号５３ｂで示す）を備えたアウト球回収箱である。なお、アウト球回収箱５１は正面側の遊技機の下部に配置されたものであり、アウト球回収箱５２は裏面側の遊技機の下部に配置されたものである。
【００２７】
これらアウト球回収箱５１，５２の底部には、遊技機から排出された遊技球を後述する傾斜樋８１と傾斜突条６５，６６の間の位置に落下させる排出樋部５３，５４が形成されている。このうち、排出樋部５３は、正面側のアウト球回収箱５１に設けられたもので、その球出口５３ａ（図５に示す）は、後述する傾斜樋８１の起立壁８１ｂと傾斜突条６５の突端（起立部６７）の間の位置に臨んでおり、その位置に遊技球を落下させる。また排出樋部５４は、裏面側のアウト球回収箱５２に設けられたもので、その球出口５４ａ（図５に示す）は、後述する傾斜樋８１の起立壁８１ｃと傾斜突条６６の突端（起立部６８）の間の位置に臨んでおり、その位置に遊技球を落下させる構成となっている。但し、この場合図２に示すように、アウト球回収箱５１，５２のうち左右方向中央側の端（球揚送装置３３に隣接する位置）に位置するものについては、その排出樋部５３，５４の球出口５３ａ，５４ａから排出された遊技球は、後述する均し樋６１上に落下する。また、アウト球回収箱５２のうち島端（カウンタ１２に隣接する位置）に位置するものについては、その排出樋部５４の球出口５４ａから排出された遊技球は、前述の誘導部材４９上に落下する構成となっている。
【００２８】
このような構成により、各遊技機において遊技者の操作により発射されて遊技盤の遊技領域に有効に打ち込まれた全ての有効発射球（ファウル球除くもの）は、遊技領域の入賞口又はアウト口を経て対応するアウト球回収箱（アウト球回収箱５１又は５２）内に排出され、排出樋部５３，５４のうちの何れかを経由して下部タンク３１内に向けて落下する。
なお、このアウト球回収箱５１，５２において排出球を検出するセンサは、例えば図５に符号５３ｂで示すように排出樋部５３，５４の終端位置に設けられる。また、このセンサは排出球が所定数（例えば１０個）通過する毎に検出信号を管理装置に対して送信する。
【００２９】
また図２や図５に示すように、遊技球回収樋３４の前面壁３４ｂと後面壁３４ｃの上端には、アウト球回収箱載置台５６，５７がそれぞれ固定され、これらアウト球回収箱載置台５６，５７の上にアウト球回収箱５１，５２がそれぞれ固定されている。なお図５に示すように、アウト球回収箱載置台５６は、前面壁３４ｂの上端から膳板４３ａの後方に延びるように設けられており、この上にアウト球回収箱５１が載置されて固定されている。また、アウト球回収箱載置台５７は、後面壁３４ｃの上端から膳板４３ｂの前方に延びるように設けられており、この上にアウト球回収箱５２が載置されて固定されている。
【００３０】
次に、図４等において符号６１で示すのは、均し樋である。均し樋６１は、遊技球回収樋３４の上方（即ち、下部タンク３１の上部）に遊技球回収樋３４の上面側を一部覆うように配置された帯板状部材よりなる樋であり、後述する傾斜突条６５，６６の部分においては、下部タンク３１の底部の上方に球貯留空間を空けた状態で下部タンク３１の各側壁（即ち、前面壁３４ｂと後面壁３４ｃ）から突出する。この均し樋６１は、球揚送装置３３の近傍位置から島端に向けて延びるように球揚送装置３３の両側にそれぞれ設けられており、遊技球回収樋３４とは逆向きに傾斜している。即ち、遊技球回収樋３４が、島の中央側（球揚送装置３３の近傍位置）から島端に向かって上り傾斜しているのに対して、均し樋６１は、島の中央から島端に向かって下り傾斜している（図１参照）。いいかえると、遊技球回収樋３４の始端（遊技球の流れ方向の上流側の端）は島端側に位置するのに対して、均し樋６１の始端は島の中央（遊技球回収樋３４の終端側）に位置する。このため、均し樋６１上の遊技球は、遊技球回収樋３４とは逆に、基本的に島の中央から島端に向かって流れる。そして図１に示すように、均し樋６１の始端が遊技球回収樋３４の底面よりも上方に大きく離れているのに対して、均し樋６１の終端は、遊技球回収樋３４の底面から僅かな距離しか離れていない。
【００３１】
なお、この均し樋６１の終端は、遊技球回収樋３４の始端位置よりも少し手前の位置（島の中央側）に位置している。これにより、均し樋６１（傾斜突条６５，６６）上をその終端まで流れた遊技球は、遊技球回収樋３４の始端位置に円滑に流れ落ち、遊技球が充満していない限り、今度は逆に遊技球回収樋３４の底面上を島中央側に向かって流れる構成となっている。
【００３２】
また図３等に示すように、均し樋６１には、その終端から始端に向けて延びるように長方形状の切り欠き６２（上下に開口する部分）が形成されている。これにより、均し樋６１上を流れる遊技球は、場合によっては、均し樋６１の終端（即ち、後述する傾斜突条６５，６６の終端）に到達する前に、この切り欠き６２（例えば、この切り欠き６２の上流側端縁や後述する間隙６７ａ，６８ａ）を介して遊技球回収樋３４の底面（即ち、下部タンク３１の底部）に向けて流れ落ちる構成となっている。なお図３等に示すように、均し樋６１の始端部付近には、切り欠き６２は形成されておらず、この部分で遊技球が均し樋６１から下方に落下することはない。また図３に示すように切り欠き６２は、この場合前後方向（均し樋６１の幅方向）の中央に設けられており、島の前面側と裏面側に幅の狭い帯板状部分（後述する傾斜突条６５，６６）を残すような寸法形状とされている。
【００３３】
また図３に示すように、均し樋６１の始端部の若干上方位置には、移送球流路３６の下端開口が下向きに配置され、この均し樋６１の始端部（移送球流路３６の下端開口が対向する部分）が、移送球流路３６からの遊技球が落下する球落下部３６ａとなっている。この球落下部３６ａに落下した遊技球は、島の左右に配置された均し樋６１の何れか一方に流れる。そして、まず均し樋６１の始端部から切り欠き６２のある終端側（島端側）に向かって均し樋６１の上を流れる構成となっている。
【００３４】
そして図３等に示すように、均し樋６１の始端部よりも若干下流側（終端側）であって切り欠き６２よりも上流側（始端側）には、分別誘導部６３が形成されている。分別誘導部６３は、この場合、均し樋６１の上面から上方に所定高さ（遊技球の外径に対応する寸法）だけ突出した部分である。この分別誘導部６３は、均し樋６１の幅方向においては、略中央に形成されている。また分別誘導部６３は、上面から見たときに、菱形（ひし形）の形状とされており、その側面（均し樋６１の上面から略直角に起立する壁面）において遊技球と接触して、遊技球の流れ方向に影響して遊技球を誘導するものである。また分別誘導部６３は、その上流側の略半分が、上面から見たときに下流に向かって末広がりとなる形状の末広がり部６３ａを構成しており、またその下流側の残りの略半分が、上面から見たときに下流に向かって末細りとなる形状の末細り部６３ｂを構成している。
【００３５】
なお、分別誘導部６３の上流側の端（末広がり部６３ａの頂点）は、尖った形状となっており、この先端が遊技球が当接する当接位置６３ｃとなっている。即ち、末広がり部６３ａの頂点（当接位置６３ｃ）は、前記球落下部３６ａから落下して直線的に流下した遊技球が当接する位置に配置され、この当接位置６３ｃから下流に向けて末広がり部６３ａの両側の側面が前後方向外側に斜めに延びている。これにより、球落下部３６ａから落下した遊技球は、上記末広がり部６３ａによって両側方（島の前後方向）のいずれかに分別誘導される。
【００３６】
一方、分別誘導部６３の下流側の端（末細り部６３ｂの頂点６３ｄ）も、尖った形状となっている。また末細り部６３ｂは、末広がり部６３ａに連続させて形成され、この末細り部６３ｂの両側の側面は、末広がり部６３ａの両側の側面から連続するようにして、逆に前後方向内側に斜めに延びて末細り部６３ｂの頂点６３ｄに到達している。これによって、後述する傾斜突条６５，６６に遊技球が充満しているときには、末細り部６３ｂの両側に形成される誘導路により、球落下部３６ａに落下した遊技球が、傾斜突条６５，６６の間から（即ち、切り欠き６２の上流側の端から）下部タンク３１（遊技球回収樋３４上）又は後述する傾斜樋８１に落下するよう誘導される構成となっている。
【００３７】
次に、均し樋６１において、前記切り欠き６２が形成されることによってこの切り欠き６２の幅方向両側に形成された幅の狭い帯板状部分は、傾斜突条６５，６６を構成する。傾斜突条６５，６６は、下部タンク３１の底部の上方に球貯留空間を空けた状態で下部タンク３１の両側壁（即ち、前面壁３４ｂと後面壁３４ｃ）から夫々前後方向に突出し、分別誘導部６３の末広がり部６３ａにより分別誘導された遊技球を、下部タンク３１の側壁に沿って島端に向けて転動させる部分である。
この傾斜突条６５，６６の夫々には、図３等に示すように、下部タンク３１の側壁からの突出先端側に球落下防止のための起立部６７，６８が各々形成され、これら起立部６７，６８の各々には、非対向状態となるように（即ち、互い違いの位置となるように）、球が落下可能な間隙６７ａ，６８ａが複数設けられている。
【００３８】
次に、下部タンク３１内における前後方向中央位置には、傾斜樋８１が設けられている。傾斜樋８１は、夫々の傾斜突条６５，６６の間に、夫々の傾斜突条６５，６６の突端から所定距離離隔させた状態で形成され、その底部８１ａが球揚送装置側（即ち、遊技球回収樋３４と同方向）に下り傾斜しているものである。この傾斜樋８１は、その底部８１ａの両側に、起立壁８１ｂ，８１ｃが略鉛直方向に起立するように形成されているが、上部は開口している。
なお図５に示すように、遊技球回収樋３４の上面における前後方向中央には、上方に突出するように傾斜樋設置部３４ｄが形成されている。この傾斜樋設置部３４ｄは、図６に示すように、遊技球回収樋３４の長手方向（島の左右方向）に沿って、前述の端壁３４ａから後述する端壁７０まで形成されている。そして、この傾斜樋設置部３４ｄの上面に載置された状態で傾斜樋８１が取り付けられている。
また、傾斜樋８１の始端は、図６等に示すように前述の誘導部材４９の前端の下方位置まで延びており、誘導部材４９上に落下した遊技球が場合によってはこの傾斜樋８１の始端部内に流れ落ちる構成（即ち、カウンタ１２から排出された遊技球の一部が誘導部材４９によって傾斜樋８１の上部開口に誘導される構成）となっている。
【００３９】
また傾斜樋８１の終端は、図６等に示すように後述する端壁７０の上部開口７２に接続されている。また傾斜樋８１の起立壁８１ｂ，８１ｃは、図６及び図７に示すように、その終端（図６等における左端）が後述する端壁７０に接合しており、またその終端側の上縁が傾斜突条６５，６６と略同じ高さまで延びている。これにより、遊技球の貯留量が少なくて下部タンク３１内に遊技球が山積みになっていない状態では、均し樋６１やアウト球回収箱５１，５２の排出樋部５３，５４から流下する遊技球のほとんどが、起立壁８１ｂ，８１ｃによって傾斜樋８１内への流入を阻止され、遊技球回収樋３４上（傾斜樋８１の外側）に落下する。
【００４０】
また図４や図５に示すように、傾斜樋８１の起立壁８１ｂ，８１ｃには、内側に向かって突出する折れ曲がり部８１ｄ，８１ｅが、傾斜樋８１の底部８１ａの傾斜方向に沿うように全長に渡って形成されている。なお折れ曲がり部８１ｄ，８１ｅによれば、傾斜樋８１の上部開口から流入して傾斜樋８１の底部８１ａで跳ね返ろうとする球が折れ曲がり部８１ｄ，８１ｅに作用されて上下方向の速度が減るため、傾斜樋８１に流入した排出球を速やかに球揚送装置３３へ転動させることができる。また、折れ曲がり部８１ｄ，８１ｅは、下部タンク３１内の球貯留空間に山積み状態の球の圧力により、起立壁８１ｂ，８１ｃが傾斜樋８１の通路を狭める方向に変形することを防止する。
なお、上述した傾斜樋８１や傾斜樋設置部３４ｄは、下部タンク３１内の球貯留空間を前後方向において分割し、傾斜樋８１の前側と後側に分割貯留空間８２，８３（図５に示す）を夫々形成する。ここで、分割貯留空間８２は、遊技球回収樋３４における前面壁３４ｂと傾斜樋８１や傾斜樋設置部３４ｄによって囲まれた空間であり、分割貯留空間８３は、遊技球回収樋３４における後面壁３４ｃと傾斜樋８１や傾斜樋設置部３４ｄによって囲まれた空間である。そして、両島におけるこれら分割貯留空間８２と分割貯留空間８３の幅寸法（この場合、前後方向の寸法）は、図５に示すように、同じ幅寸法Ａとなっている。
【００４１】
次に、図１や図３等において符号７０で示すものは、下部タンク３１の島中央側の端壁である。この端壁７０は、遊技球回収樋３４の上方空間を仕切るように遊技球回収樋３４の上面に縦に配置されたもので、その下端部には、遊技球を少しずつ島中央側（球揚送装置３３）に送るための底部開口７１（図３に示す）が形成されている。また、端壁７０の上部の前後方向中央位置（傾斜樋８１の終端に連通する位置）には、上部開口７２（図３に示す）が形成されている。
【００４２】
これにより、下部タンク３１内の遊技球は、これら底部開口７１又は上部開口７２を通過して前述した下部シャッター３７によって開閉される流路に流れ、さらにこの流路を経由して球揚送装置３３の入口へと流れる構成となっている。詳しく説明すると、下部タンク３１内の遊技球の貯留量が少ない通常状態では、球落下部３６ａに落下して下部タンク３１内に流れた遊技球や各アウト球回収箱５１，５２から落下した遊技球は、主に底部開口７１を経由するメイン流路を経て底部に位置する遊技球から順に球揚送装置３３の入口に流れる。ところが、下部タンク３１内の遊技球の貯留量が多くなり、均し樋６１付近の高さに遊技球が山積になっているような多量球貯留状態になると、球落下部３６ａに落下した遊技球や各アウト球回収箱５１，５２から落下した遊技球の多くは、山積み状態の球に誘導されて傾斜樋８１内に流れ込み、傾斜樋８１と上部開口７２を経由するバイパス流路（上記メイン流路を迂回する流路）を経て球揚送装置３３の入口に短絡的に流れる。
【００４３】
なお、図４において符号７３，７４で示すものは、夫々遊技球を検出する検出器である。これら検出器７３と検出器７４は、下部タンク３１内の球貯留量を段階的に検知するためのセンサである。
なお以上の説明では、正面から見て右側の下部タンク３１やその周辺構成について説明したが、本例の場合、カウンタ１２に関係する構成を除いて、島の左側にも同様の構成の下部タンク３１等が略左右対称の位置関係で設けられている。
【００４４】
Ｄ．片島の下部タンク等の構成
次に、片島１０ａにおける下部タンク３１とその周辺構成について、図８〜図９により説明する。
ここで図８〜図９は、片島１０ａにおける右側の下部タンク３１等を示す図である。このうち図８は、球揚送装置３３のある島中央側から斜めに見た斜視図である。また図９は、縦断面図である。なお以下では、片島１０ａの下部タンク３１に固有な構成（両島１０ｃの下部タンク３１と異なる点）のみを説明する。
図８及び図９において、符号９１は遊技場の建物の壁である。この場合、遊技球回収樋３４の後面壁３４ｃは、遊技場のスペースを有効活用するため、遊技場の壁９１に接合した状態に配置されている。また図９に示すように、底部構成部材４３は、裏面側の側壁が無い断面Ｌ字状のものとされている。
また片島１０ａは、片側（前面側）にしか遊技機が配置されないため、この片島１０ａの下部タンク３１に関しては、前述した両島１０ｃと比較して、下記の要素が無い構成となっている。即ち、裏面側のアウト球回収箱５２、アウト球回収箱載置台５７、及び膳板４３ｂが無い。
【００４５】
そして、傾斜樋８１の前側と後側には、分割貯留空間８２，８３（図９に示す）が夫々形成されているが、これらの幅寸法は同一ではない。即ち、片島１０ａの下部タンク３１は、遊技機が設置されている正面側の分割貯留空間８２を、遊技機が設置されていない裏面側の分割貯留空間８３よりも幅を広く構成するとともに、両島１０ｃの下部タンク３１の分割貯留空間８２，８３と略同一の幅に形成した。即ち図９に示すように、片島１０ａの分割貯留空間８２の幅寸法は、両島１０ｃの分割貯留空間８２，８３と略同一の幅Ａとし、片島１０ａの分割貯留空間８３の幅寸法は、寸法Ａよりも格段に小さな寸法Ｂ（Ｂ＜Ａ）としてある。
【００４６】
以上説明した島設備によれば、次のような効果が奏される。
即ち、外部から受け入れた遊技球（本例の場合、他島から受け入れた遊技球）が下部タンク３１の両側壁から突出する傾斜突条６５，６６に誘導され、この傾斜突条６５，６６を介して下部タンク３１内に導入されるため、下部タンク３１内に偏りが少ない状態で前記遊技球を導入できる。また、下部タンク３１の球貯留空間に球が山積み状態に堆積しても、アウト球回収箱５１，５２（片島の場合は一方のアウト球回収箱５１のみ）からの排出球が山積み状態の球に誘導されて傾斜樋８１内に流入し、この傾斜樋８１を経由して球揚送装置３３の入口に短絡的に流れる。このため、下部タンク３１に球が山積み状態に堆積しても、アウト球回収箱５１，５２の球出口５３ａ，５４ａ（片島の場合は一方の球出口５３ａのみ）が山積みの遊技球で塞がれて球詰まりを起こしてしまう不具合を回避できる。
しかも本島設備では、片島の下部タンク３１における遊技機が設置されている側の分割貯留空間８２を、遊技機が設置されていない側の分割貯留空間８３よりも幅を広く構成するとともに、両島の下部タンク３１の分割貯留空間８２，８３と略同一の幅に形成した。このため、両島と片島との各々でアウト球回収箱５１の種類を変えたり、アウト球回収箱５１の球出口５３ａの位置を変えたりする必要がない。
【００４７】
また、前述した末細り部６３ｂの作用によって、傾斜突条６５，６６に遊技球が充満しているときには、末細り部６３ｂの両側に形成される誘導路により、球落下部３６ａに落下した遊技球が、両傾斜突条６５，６６の間から（即ち、切り欠き６２の上流側の端から）下部タンク３１（遊技球回収樋３４上）又は傾斜樋８１内に落下するように誘導される。このため、下部タンク３１の分別誘導部側端部（島中央側の端部）まで満遍なく遊技球を貯留できるとともに、傾斜突条６５，６６に遊技球が充満している多量球貯留状態では、球落下部３６ａに落下した遊技球を傾斜樋８１の終端部に流下させて球揚送装置３３の入口に短絡的に流すことができる。したがって、下部タンク３１の容量を最大限活用できるとともに、多量球貯留状態においては、球出口５３ａ，５４ａが遊技球で塞がれてしまう不具合を、高い信頼性で回避できる。
【００４８】
（第２形態例）
次に第２形態例を、図１０〜図１１により説明する。この第２形態例は、片島１０ａにおける下部タンク３１に特徴を有する。ここで図１０〜図１１は、片島１０ａにおける右側の下部タンク３１（他の形態例）を示す図である。このうち、図１０は島端側から見た斜視図であり、図１１は縦断面図である。
本例は、前述の第１形態例に対して、以下の点が異なる。即ち図１１に示すように、片島１０ａの下部タンク３１は、遊技機が設置されていない側（以下、遊技機非設置側という）の分割貯留空間８３を構成する傾斜突条６６及び傾斜樋８１における壁部（起立壁８１ｃ）の頂部を、遊技機が設置されている側（以下、遊技機設置側という）の分割貯留空間８２を構成する傾斜突条６５及び傾斜樋８１における壁部（起立壁８１ｂ）の頂部よりも、高い位置に形成している。
【００４９】
詳細に説明すると、遊技機設置側の傾斜突条６５の高さ（即ち上下方向の位置、以下同様）、傾斜樋８１の底部８１ａの高さ、及び傾斜樋８１の遊技機設置側の起立壁８１ｂの頂部の高さ等については、第１形態例と同じ位置となっている。しかし、遊技機非設置側の傾斜突条６６の高さ、及び傾斜樋８１の遊技機非設置側の起立壁８１ｃの頂部の高さ等については、図１１に示すように第１形態例よりも格段に高い位置となっている。
また図１０に示すように、均し樋６１の島中央側であって、傾斜突条６５の突出先端縁を島の長手方向中央側に延長した直線上には、段部６１ａが形成されている。そして均し樋６１において、この段部６１ａよりも遊技機設置側（図１０において左側）は、第１形態例の均し樋６１と同じ高さになっており、遊技機設置側の傾斜突条６５をその傾斜を保ちつつ島中央側に延長した構造となっている。一方、均し樋６１において、前記段部６１ａよりも遊技機非設置側（図１０において右側）は、第１形態例の均し樋６１よりも上下方向の位置が傾斜突条６６と同様に高くなっており、遊技機非設置側の傾斜突条６６と上面が同一傾斜面となるように連続した構造となっている。
【００５０】
なお、傾斜樋８１の遊技機非設置側の起立壁８１ｃが、同じ側の傾斜突条６６に対応した高さに設定されていることは、第１形態例の場合と同様である。即ち、遊技球の貯留量が少なくて下部タンク３１内に遊技球が山積みになっていない状態では、傾斜突条６６等から落下する遊技球が傾斜樋８１内に流入することを起立壁８１ｃによって阻止できるように、起立壁８１ｃの頂部の高さが設定されている。
また本例の場合、前述した球落下部３６ａも、前記段部６１ａよりも遊技機非設置側に位置するため、第１形態例より高く設置されている。またこれに対応して、移送球流路３６の下端も第１形態例より高く設置されている（移送球流路３６の長さがその分短くなっている）。
【００５１】
以上説明した本第２形態例の島設備によれば、前述した第１形態例の効果に加えて次の効果がある。即ち、片島の下部タンク３１は、遊技機非設置側の分割貯留空間８３を遊技機設置側の分割貯留空間８２よりも幅を狭くされているが、遊技機非設置側の傾斜突条６６及び傾斜樋８１における壁部（起立壁８１ｃ）の頂部が高い位置に形成されているので、遊技機非設置側の分割貯留空間８３の貯留容量を充分に確保できる。
なお、遊技機非設置側にはアウト球回収箱等が当然に無いので、遊技機非設置側の傾斜突条６６等を高い位置に設置しても、部材の干渉等の問題は生じない。
【００５２】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５３】
【図１】遊技島の内部構造を示す正面図である。
【図２】下部タンクやアウト球回収箱等を島中央側から斜めに見た斜視図である。
【図３】下部タンクからアウト球回収箱等を取り除いた状態をカウンタの側から見た斜視図である。
【図４】下部タンクからアウト球回収箱等を取り除いた状態を島中央側から斜めに見た斜視図である。
【図５】下部タンク等を示す縦断面図である。
【図６】図５におけるＸ１断面図である。
【図７】図５におけるＸ２断面図である。
【図８】片島における下部タンク等を示す斜視図である。
【図９】片島における下部タンク等を示す縦断面図である。
【図１０】片島における下部タンク等（第２形態例）を示す斜視図である。
【図１１】片島における下部タンク等（第２形態例）の縦断面図である。
【符号の説明】
【００５４】
１０ｃ  遊技島（両島）
１０ａ  遊技島（片島）
１２  カウンタ
１３  上部タンク
３１  下部タンク
３３  球揚送装置
３４  遊技球回収樋（下部タンクの底部）
３６ａ  球落下部
４９  誘導部材
５１，５２  アウト球回収箱
５３，５４  排出樋部
５３ａ，５４ａ  球出口
６１  均し樋
６５，６６  傾斜突条
８１  傾斜樋
８１ａ  傾斜樋の底部
８１ｂ，８１ｃ  起立壁（傾斜樋における壁部）
８２，８３  分割貯留空間
【図１】
2008237797.tif 000003
【図２】
2008237797.tif 000004
【図３】
2008237797.tif 000005
【図４】
2008237797.tif 000006
【図５】
2008237797.tif 000007
【図６】
2008237797.tif 000008
【図７】
2008237797.tif 000009
【図８】
2008237797.tif 000010
【図９】
2008237797.tif 000011
【図１０】
2008237797.tif 000012
【図１１】
2008237797.tif 000013